(57)【特許請求の範囲】
【請求項１】
無線基地局と、端末装置と、前記無線基地局と前記端末装置との間の無線通信の中継を行う中継装置と、前記無線基地局の周辺に存在する隣接基地局と、を有する無線通信システムであって、
前記端末装置は、
第１通信品質が第２通信品質よりも良好な場合には、前記中継装置に接続し、
前記第２通信品質が前記１通信品質よりも良好な場合には、前記隣接基地局に接続し、
前記第１通信品質は、前記中継装置から通知された、前記中継装置と前記無線基地局との間の無線通信における通信品質であり、
前記第２通信品質は、前記中継装置から通知された前記端末装置の接続先になり得る隣接基地局の情報に基づいて前記端末装置が測定した、前記端末装置と前記隣接基地局との間の無線通信における通信品質である無線通信システム。
【請求項２】
無線基地局と端末装置との間の無線通信の中継を行う中継装置であって、
前記中継装置と前記無線基地局との間の無線通信における通信品質と、前記無線基地局の周辺に存在し前記端末装置の接続先になり得る隣接基地局と前記端末装置との間の通信品質を前記端末装置が測定するために用いる隣接基地局の情報と、を前記端末装置に通知する中継装置。
【請求項３】
無線基地局と、端末装置と、前記無線基地局と前記端末装置との間の無線通信の中継を行う中継装置と、前記無線基地局の周辺に存在する隣接基地局と、を有する無線通信システムにおける通信制御方法であって、
前記端末装置が、第１通信品質が第２通信品質よりも良好な場合には、前記中継装置に接続するステップと、
前記端末装置が、前記第２通信品質が前記第１通信品質よりも良好な場合には、前記隣接基地局に接続するステップと、を含み、
前記第１通信品質は、前記中継装置から通知された、前記中継装置と前記無線基地局との間の無線通信における通信品質であり、
前記第２通信品質は、前記中継装置から通知された前記端末装置の接続先になり得る隣接基地局の情報に基づいて前記端末装置が測定した、前記端末装置と前記隣接基地局との間の無線通信における通信品質である通信制御方法。
【発明の詳細な説明】
【技術分野】
【０００１】
本発明は、無線基地局と、端末装置と、前記無線基地局と先記端末装置との間の無線通信の中継を行う複数の中継装置とを有する無線通信システムと、当該無線通信システムにおける通信制御方法に関する。
【背景技術】
【０００２】
モバイルルータ（ＭＲ）（例えば、特許文献１参照）は、無線基地局と端末装置との間の無線通信の中継を行う。具体的には、モバイルルータは、端末装置に対して、無線ＬＡＮ方式のアクセスポイントとして機能し、無線基地局に対して、無線端末として機能する。
【先行技術文献】
【特許文献】
【０００３】
【特許文献１】特開２００４−１５３８０２号公報
【発明の概要】
【発明が解決しようとする課題】
【０００４】
端末装置は、ＭＲと無線基地局の双方に択一的に接続可能である。しかしながら、端末装置は、ＭＲと無線基地局の何れに接続する方が良好な通信品質で無線通信が可能であるか否かを判断できない。
【０００５】
そこで、本発明は、端末装置が良好な通信品質で無線通信を行うことを可能とした無線通信システム及び通信制御方法を提供することを目的とする。
【課題を解決するための手段】
【０００６】
上述した課題を解決するために、本発明は以下のような特徴を有している。本発明の特徴は、無線基地局（無線基地局３００−１）と、端末装置（端末装置１００）と、前記無線基地局の周辺に存在する隣接基地局（無線基地局３００−２）と、前記無線基地局と前記端末装置との間の無線通信の中継を行う複数の中継装置（モバイルルータ２００）とを有する無線通信システムであって、前記端末装置は、第１通信品質が第２通信品質よりも良好な場合には、前記中継装置に接続し、前記第２通信品質が前記第１通信品質よりも良好な場合には、前記隣接基地局に接続し、前記第１通信品質は、前記中継装置から通知された、前記中継装置と前記無線基地局との間の無線通信における通信品質であり、前記第２通信品質は、前記中継装置から通知された前記端末装置の接続先になり得る隣接基地局の情報に基づいて前記端末装置が測定した、前記端末装置と前記隣接基地局との間の無線通信における通信品質であることを要旨とする。
【０００７】
このような無線通信システムでは、端末装置は、当該中継装置と無線基地局との間の無線通信における通信品質と、当該端末装置と無線基地局との間の無線通信における通信品質とに基づいて、中継装置と無線基地局との何れかを接続先とする。従って、端末装置は、中継装置と無線基地局との間の無線通信における通信品質を考慮した上で、通信状態が良好な中継装置及び無線基地局の何れかに接続できる。
【０００９】
本発明の特徴は、無線基地局と端末装置との間の無線通信の中継を行う中継装置であって、前記中継装置と前記無線基地局との間の無線通信における通信品質と、前記無線基地局の周辺に存在し前記端末装置の接続先になり得る隣接基地局と前記端末装置との間の通信品質を前記端末装置が測定するために用いる隣接基地局の情報と、を前記端末装置に通知することを要旨とする。
【００１０】
本発明の特徴は、無線基地局と、端末装置と、前記無線基地局と前記端末装置との間の無線通信の中継を行う中継装置と、前記無線基地局の周辺に存在する隣接基地局と、を有する無線通信システムにおける通信制御方法であって、前記端末装置が、第１通信品質が第２通信品質よりも良好な場合には、前記中継装置に接続するステップと、前記端末装置が、前記第２通信品質が前記第１通信品質よりも良好な場合には、前記隣接基地局に接続するステップを含み、前記第１通信品質は、前記中継装置から通知された、前記中継装置と前記無線基地局との間の無線通信における通信品質であり、前記第２通信品質は、前記中継装置から通知された前記端末装置の接続先になり得る隣接基地局の情報に基づいて前記端末装置が測定した、前記端末装置と前記隣接基地局との間の無線通信における通信品質であることを要旨とする。
【発明の効果】
【００１１】
本発明の特徴によれば、端末装置が良好な通信品質で無線通信を行うことが可能となる。
【図面の簡単な説明】
【００１２】
【図１】本発明の実施形態に係る無線通信システムの全体概略構成図である。
【図２】本発明の実施形態に係る端末装置の構成を示す図である。
【図３】本発明の実施形態に係るモバイルルータの構成を示す図である。
【図４】本発明の実施形態に係る無線基地局の構成を示す図である。
【図５】本発明の実施形態に係る上位ノードの構成を示す図である。
【図６】本発明の実施形態に係る無線通信システムの動作を示すシーケンス図である。
【発明を実施するための形態】
【００１３】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００１４】
（１）無線通信システムの構成
図１は、本発明の実施形態に係る無線通信システム１の全体概略構成図である。無線通信システム１は、バス７００の乗客であるユーザ６００が所持する端末装置（ＵＥ）１００及びモバイルルータ（ＭＲ）２００と、無線基地局３００−１及び無線基地局３００−２と、コアネットワーク５００とを含む。
【００１５】
ＵＥ１００とＭＲ２００との間の無線通信は、無線ＬＡＮ方式により行われる。ＭＲ２００及びＵＥ１００と無線基地局３００−１及び無線基地局３００−２との間の無線通信は、公衆無線通信方式であるＬＴＥ（Long Term Evolution）、ＥＶ−ＤＯ、ＨＳＰＡ（High Speed Packet Access）、ＷｉＭＡＸ（Worldwide Interoperability for Microwave Access）等により行われる。
【００１６】
図２は、ＵＥ１００の構成を示す図である。図２に示すように、ＵＥ１００は、無線通信部１１０、アンテナ１１２、無線通信部１１４、アンテナ１１６、制御部１２０及び記憶部１３０とを含む。
【００１７】
無線通信部１１０は、例えば無線周波数（ＲＦ）回路やベースバンド（ＢＢ）回路等を用いて構成される。無線通信部１１０は、アンテナ１１２を介して、無線ＬＡＮ方式によりＭＲ２００との間で無線通信を行うことができる。
【００１８】
無線通信部１１４は、例えばＲＦ回路やＢＢ回路等を用いて構成される。無線通信部１１４は、アンテナ１１６を介して、公衆無線通信方式により、無線基地局３００−１及び無線基地局３００−２（以下、無線基地局３００−１及び無線基地局３００−２をまとめて、適宜「無線基地局３００」と称する）との間で無線通信を行うことができる。
【００１９】
制御部１２０は、例えばＣＰＵ（Central Processing Unit）、ＤＳＰ（Digital Signal Processor）等を用いて構成される。制御部１２０は、ＵＥ１００が具備する各種の機能を制御する。記憶部１３０は、例えばメモリを用いて構成され、ＵＥ１００の制御等に用いられる各種の情報を記憶する。
【００２０】
図３は、ＭＲ２００の構成を示す図である。図３に示すように、ＭＲ２００は、無線通信部２１０、アンテナ２１２、無線通信部２１４、アンテナ２１６、制御部２２０及び記憶部２３０を含む。
【００２１】
無線通信部２１０は、例えばＲＦ回路やＢＢ回路等を用いて構成される。無線通信部２１０は、アンテナ２１２を介して、無線ＬＡＮ方式によりＵＥ１００との間で無線通信を行うことができる。
【００２２】
無線通信部２１４は、例えばＲＦ回路やＢＢ回路等を用いて構成される。無線通信部２１４は、アンテナ２１６を介して、公衆無線通信方式により、無線基地局３００との間で無線通信を行うことができる。
【００２３】
制御部２２０は、例えばＣＰＵ、ＤＳＰ等を用いて構成される。制御部２２０は、ＭＲ２００が具備する各種の機能を制御する。記憶部２３０は、例えばメモリを用いて構成され、ＭＲ２００の制御等に用いられる各種の情報を記憶する。
【００２４】
図４は、無線基地局３００の構成を示す図である。図４に示すように、無線基地局３００は、無線通信部３１０、アンテナ３１２、有線通信部３１４、制御部３２０及び記憶部３３０を含む。
【００２５】
無線通信部３１０は、例えばＲＦ回路やＢＢ回路等を用いて構成される。無線通信部３１０は、アンテナ３１２を介して、公衆無線通信方式により、ＭＲ２００やＵＥ１００との間で無線通信を行うことができる。
【００２６】
有線通信部３１４は、コアネットワーク５００を介して、他の無線基地局３００との間で通信を行う。公衆無線通信方式にＬＴＥが採用される場合、無線基地局３００と他の無線基地局３００との間には、論理的な通信経路であるＸ２インタフェースが確立される。
【００２７】
制御部３２０は、例えばＣＰＵ、ＤＳＰ等を用いて構成される。制御部３２０は、無線基地局３００が具備する各種の機能を制御する。記憶部３３０は、例えばメモリを用いて構成され、無線基地局３００の制御等に用いられる各種の情報を記憶する。
【００２８】
次に、無線通信システム１の詳細な処理を説明する。
【００２９】
ユーザ６００が所持するＵＥ１００内の制御部１２０は、ユーザ６００による図示しない操作部の操作に応じて、ユーザ６００が所持するＭＲ２００内の制御部２２０との間で、呼接続処理を行う。呼接続処理において、ＵＥ１００内の制御部１２０は、ＭＲ２００に対応するＥＳＳＩＤ（Extended Service Set Identifier）を認識する。更に、ＵＥ１００内の制御部１２０は、ＭＲ２００に接続するための認証キーを記憶部１３０から読み出し、当該認証キーをＭＲ２００へ送信する。ＭＲ２００内の制御部２２０は、認証キーを受信すると、当該認証キーに基づく認証を行い、ＵＥ１００の接続を許可する。これにより、ＵＥ１００とＭＲ２００との間で無線ＬＡＮ方式による無線通信が可能となる。
【００３０】
ＭＲ２００の周辺の無線基地局（ここでは、無線基地局３００−１及び無線基地局３００−２）は、報知信号等を送信している。ＭＲ２００内の制御部２２０は、無線基地局３００−１及び無線基地局３００−２からの報知信号等を受信する。ＭＲ２００内の制御部２２０は、各報知信号等の受信電界強度（ＲＳＳＩ：Reserved Signal Strength Indication）、受信品質（ＳＩＮＲ：Signal to Noise Interference Ratio）等の通信品質を測定する。ＭＲ２００内の制御部２２０は、通信品質が良好な無線基地局（ここでは、無線基地局３００−１）との間で呼接続処理を行う。これにより、ＭＲ２００と無線基地局３００−１との間で、公衆無線通信方式による無線通信が可能となる。
【００３１】
ＵＥ１００とＭＲ２００との間の呼接続処理と、ＭＲ２００と無線基地局３００−１との間の呼接続処理とにより、ＭＲ２００は、ＵＥ１００と無線基地局３００−１との間の無線通信の中継を行うことができる。
【００３２】
無線基地局３００−１内の制御部３２０は、ネイバーリスト情報をＭＲ２００へ送信する。ネイバーリスト情報は、無線基地局３００−１の周辺に存在する他の無線基地局の情報である。ネイバーリスト情報は、他の無線基地局の識別情報を含む。
【００３３】
ＭＲ２００内の制御部２２０は、ネイバーリスト情報を受信する。ＭＲ２００内の制御部２２０は、無線基地局３００−１からの信号の受信電界強度（ＲＳＳＩ）を測定する。更に、ＭＲ２００内の制御部２２０は、ネイバーリスト情報と、無線基地局３００−１からの信号の受信電界強度の情報（信号強度情報）とを、ＵＥ１００へ送信する。
【００３４】
ＵＥ１００内の制御部１２０は、ネイバーリスト情報と信号強度情報とを受信する。ＵＥ１００内の制御部１２０は、ネイバーリスト情報に基づいて、無線基地局３００−１の周辺に存在する他の無線基地局（隣接基地局、ここでは無線基地局３００−２）を認識する。ＵＥ１００内の制御部１２０は、隣接基地局からの信号の受信電界強度（ＲＳＳＩ）を測定する。
【００３５】
次に、ＵＥ１００内の制御部１２０は、当該ＵＥ１００の接続先を切り替える決定を行う。具体的には、ＵＥ１００内の制御部１２０は、ＭＲ２００からの信号強度情報によって示される信号の受信電界強度の値と、無線基地局３００−２からの信号の受信電界強度の値とを比較する。
【００３６】
更に、ＵＥ１００内の制御部１２０は、ＭＲ２００からの信号強度情報によって示される信号の受信電界強度の値が無線基地局３００−２からの信号の受信電界強度の値より高い場合には、ＭＲ２００への接続を維持する。一方、ＵＥ１００内の制御部１２０は、ＭＲ２００からの信号強度情報によって示される信号の受信電界強度の値が無線基地局３００−２からの信号の受信電界強度の値より低い場合には、接続先をＭＲ２００から無線基地局３００−２に切り替えることを決定する。
【００３７】
なお、ＵＥ１００の接続先がＭＲ２００である場合には、ＭＲ２００と無線基地局３００−１との間の無線通信における通信品質だけでなく、ＵＥ１００とＭＲ２００との間の無線通信における通信品質についても考慮されることがより望ましい。このため、ＵＥ１００内の制御部１２０は、ＭＲ２００からの信号強度情報によって示される信号の受信電界強度から所定値を差し引いた値を算出し、当該算出値と、無線基地局３００−２からの信号の受信電界強度の値とを比較してもよい。この場合、ＵＥ１００内の制御部１２０は、算出値が無線基地局３００−２からの信号の受信電界強度の値より高い場合には、ＭＲ２００への接続を維持する。一方、ＵＥ１００内の制御部１２０は、算出値が無線基地局３００−２からの信号の受信電界強度の値より低い場合には、接続先をＭＲ２００から無線基地局３００−２に切り替えることを決定する。
【００３８】
接続先をＭＲ２００から無線基地局３００−２に切り替える場合、ＵＥ１００内の制御部１２０は、無線基地局３００−２内の制御部３２０との間で、呼接続処理を行う。これにより、ＵＥ１００と無線基地局３００−２との間で、公衆無線通信方式による無線通信が可能となる。
【００３９】
その後、ＵＥ１００内の制御部１２０は、ＭＲ２００へ切断要求情報を送信する。切断要求情報は、ＵＥ１００がＭＲ２００に対して無線通信の終了を要求するための情報である。ＭＲ２００内の制御部２２０は、切断要求情報を受信する。ＭＲ２００内の制御部２２０は、切断要求情報に応じて、ＵＥ１００との間の無線通信を終了する処理（切断処理）を行う。
【００４０】
その後、ＭＲ２００内の制御部１２０は、所定の周期で、無線基地局３００−１からの信号の受信電界強度（ＲＳＳＩ）を測定する。更に、ＭＲ２００内の制御部２２０は、測定の都度、無線基地局３００−１からの信号の受信電界強度の情報（信号強度情報）とを、ブロードキャスト通信により送信する。
【００４１】
ＵＥ１００内の制御部１２０は、信号強度情報とを受信する。ＵＥ１００内の制御部１２０は、現時点におけるＵＥ１００の接続先である無線基地局３００−２からの信号の受信電界強度（ＲＳＳＩ）を測定する。
【００４２】
次に、ＵＥ１００内の制御部１２０は、当該ＵＥ１００の接続先を切り替える決定を行う。具体的には、上述と同様、ＵＥ１００内の制御部１２０は、ＭＲ２００からの信号強度情報によって示される信号の受信電界強度の値と、無線基地局３００−２からの信号の受信電界強度の値とを比較する。
【００４３】
更に、ＵＥ１００内の制御部１２０は、ＭＲ２００からの信号強度情報によって示される信号の受信電界強度の値が無線基地局３００−２からの信号の受信電界強度の値より低い場合には、無線基地局３００−２への接続を維持する。一方、ＵＥ１００内の制御部１２０は、ＭＲ２００からの信号強度情報によって示される信号の受信電界強度の値が無線基地局３００−２からの信号の受信電界強度の値より高い場合には、接続先を無線基地局３００−２からＭＲ２００に切り替えることを決定する。
【００４４】
なお、上述と同様、ＵＥ１００内の制御部１２０は、ＭＲ２００からの信号強度情報によって示される信号の受信電界強度から所定値を差し引いた値を算出し、当該算出値と、無線基地局３００−２からの信号の受信電界強度の値とを比較してもよい。この場合、ＵＥ１００内の制御部１２０は、算出値が無線基地局３００−２からの信号の受信電界強度の値より低い合には、無線基地局３００−２への接続を維持する。一方、ＵＥ１００内の制御部１２０は、算出値が無線基地局３００−２からの信号の受信電界強度の値より高い場合には、接続先を無線基地局３００−２からＭＲ２００に切り替えることを決定する。
【００４５】
接続先を無線基地局３００−２からＭＲ２００に切り替える場合、ＵＥ１００内の制御部１２０は、無線基地局３００−２内の制御部３２０との間で、呼接続処理を行う。これにより、ＵＥ１００とＭＲ２００との間で、無線ＬＡＮ通信方式による無線通信が可能となる。
【００４６】
その後、ＵＥ１００内の制御部１２０は、無線基地局３００−２へ切断要求情報を送信する。切断要求情報は、ＵＥ１００が無線基地局３００−２に対して無線通信の終了を要求するための情報である。無線基地局３００−２内の制御部３２０は、切断要求情報を受信する。無線基地局３００−２内の制御部３２０は、切断要求情報に応じて、ＵＥ１００との間の無線通信を終了する処理（切断処理）を行う。
【００４７】
（２）無線通信システムの動作
図６は、無線通信システムの動作を示すシーケンス図である。
【００４８】
ステップＳ２００において、ユーザ６００が所持するＵＥ１００は、ユーザ６００が所持するＭＲ２００との間で、無線ＬＡＮ方式による無線通信を行う。ステップＳ２０１において、ＭＲ２００は、無線基地局３００−１との間で、公衆無線通信方式による無線通信を行う。
【００４９】
ステップＳ２０２において、無線基地局３００−１は、ネイバーリスト情報を送信する。ＭＲ２００は、ネイバーリスト情報を受信する。ステップＳ２０３において、ＭＲ２００は、ネイバーリスト情報と、無線基地局３００−１からの信号の受信電界強度の情報（信号強度情報）とを送信する。ＵＥ１００は、ネイバーリスト情報と信号強度情報とを受信する。
【００５０】
ステップＳ２０４において、ＵＥ１００は、隣接基地局である無線基地局３００−２からの信号の受信電界強度を測定する。
【００５１】
ステップＳ２０５において、ＵＥ１００は、ＭＲ２００からの信号強度情報によって示される信号の受信電界強度の値と、無線基地局３００−２からの信号の受信電界強度の値とに基づいて、ＵＥ１００の接続先を決定する。
【００５２】
接続先が無線基地局３００−２と決定された場合、ステップＳ２０６において、ＵＥ１００は、無線基地局３００−２との間で、呼接続処理を行う。その後、ステップＳ２０７において、ＵＥ１００と無線基地局３００−２との間で、公衆無線通信方式による無線通信が行われる。
【００５３】
ステップＳ２０８において、ＵＥ１００は、切断要求情報を送信する。ＭＲ２００は、切断要求情報を受信する。ステップＳ２０９において、ＭＲ２００は、切断要求情報に応じて、ＵＥ１００との間の無線通信を終了する処理（切断処理）を行う。
【００５４】
その後、ステップＳ２１０において、ＭＲ２００は、無線基地局３００−１からの信号の受信電界強度の情報（信号強度情報）を、ブロードキャスト通信により送信する。ＵＥ１００は、信号強度情報を受信する。なお、ここでの信号強度情報は、無線基地局３００−１が測定したＭＲ２００の信号の信号強度の情報でもよい。
【００５５】
ステップＳ２１１において、ＵＥ１００は、無線基地局３００−２からの信号の受信電界強度（ＲＳＳＩ）を測定する。
【００５６】
ステップＳ２１２において、ＵＥ１００は、ＭＲ２００からの信号強度情報によって示される信号の受信電界強度の値と、無線基地局３００−２からの信号の受信電界強度の値とに基づいて、ＵＥ１００の接続先を決定する。
【００５７】
接続先がＭＲ２００と決定された場合、ステップＳ２１３において、ＵＥ１００は、ＭＲ２００との間で、呼接続処理を行う。その後、ステップＳ２１４において、ＵＥ１００とＭＲ２００との間で、無線ＬＡＮ方式による無線通信が行われる。
【００５８】
ステップＳ２１５において、ＵＥ１００は、切断要求情報を送信する。無線基地局３００−２は、切断要求情報を受信する。ステップＳ２１６において、無線基地局３００−２は、切断要求情報に応じて、ＵＥ１００との間の無線通信を終了する処理（切断処理）を行う。
【００５９】
（３）作用・効果
本実施形態の無線通信システム１において、ＵＥ１００と無線基地局３００−１との間の無線通信を中継するＭＲ２００は、接続先である無線基地局３００−１の周辺に存在する無線基地局３００−２の情報であるネイバーリスト情報と、無線基地局３００−１からの信号の受信電界強度の情報（信号強度情報）とをＵＥ１００へ送信する。
【００６０】
ＵＥ１００は、ＭＲ２００からのネイバーリスト情報と、信号強度情報とを受信し、ネイバーリスト情報に基づいて認識した無線基地局３００−２からの信号の受信電界強度を測定する。更に、ＵＥ１００は、ＭＲ２００からの信号強度情報によって示される受信電界強度と、測定した受信電界強度とを比較し、受信電界強度が高い方に対応するＭＲ２００又は無線基地局３００−２を接続先とする。具体的には、無線基地局３００−２からの信号の受信電界強度の値が、ＭＲ２００からの信号強度情報によって示される受信電界強度の値よりも高い場合には、接続先をＭＲ２００から無線基地局３００−２に切り替える。
【００６１】
従って、ＵＥ１００は、ＭＲ２００と無線基地局３００−２との何れかに接続すれば、良好な通信品質での無線通信が可能であるかを判断でき、通信品質が良好なＭＲ２００及び無線基地局３００−２の何れかと無線通信を行うことができる。
【００６２】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６３】
上述した実施形態では、図１に示すように、無線基地局３００−１の周辺に無線基地局３００−２のみが存在する場合について説明した。しかし、無線基地局３００−１の周辺に２つ以上の無線基地局（隣接基地局）が存在する場合にも、同様に本発明を適用できる。
【００６４】
この場合、ＵＥ１００は、ＭＲ２００からのネイバーリスト情報に基づいて、複数の隣接基地局からの信号の受信電界強度を測定する。更に、ＵＥ１００は、ＭＲ２００からの信号強度情報によって示される受信電界強度と、測定した各受信電界強度とを比較し、受信電界強度が高い方に対応するＭＲ２００又は隣接基地局を接続先に決定する。
【００６５】
また、上述した実施形態は、中継装置がモバイルルータ（ＭＲ）の場合について説明したが、モバイルルータ以外の中継装置であって、ＵＥ１００と無線基地局３００との間の無線通信を中継する機能を有するものであれば、同様に、本発明を適用できる。
【００６６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６７】
１…無線通信システム、１００…ＵＥ、１１０…無線通信部、１１２…アンテナ、１１４…無線通信部、１１６…アンテナ、１２０…制御部、１３０…記憶部、２００、２００−２…ＭＲ、２１０…無線通信部、２１２…アンテナ、２１４…無線通信部、２１６…アンテナ、２２０…制御部、２３０…記憶部、３００−１、３００−２…無線基地局、３１０…無線通信部、３１２…アンテナ、３１４…有線通信部、３２０…制御部、３３０…記憶部
【図１】
0005806509.tif 000002
【図２】
0005806509.tif 000003
【図３】
0005806509.tif 000004
【図４】
0005806509.tif 000005
【図５】
0005806509.tif 000006
【図６】
0005806509.tif 000007